(57)【特許請求の範囲】
【請求項１】
筐体本体及び前記筐体本体の前側に配置された前扉を有する筐体と、
前記筐体内に配置された制御基板と、
前記制御基板に設置された複数のコネクタと、を備え、
前記複数のコネクタは、互いに同じ色の２つのコネクタの組合せを複数有し、
前記組合せごとにコネクタの色が異なっており、
前記組合せのそれぞれにおける一方のコネクタである第１コネクタは前記筐体本体側に設置された本体側機器と配線を介して接続されていて、他方のコネクタである第２コネクタは前記前扉側に配置された前扉側機器と配線を介して接続されていて、
前記制御基板において前記本体側機器と配線を介して接続されるコネクタは、前記第１コネクタを含むとともに、複数であって、互いに異なる色であり、
前記制御基板において前記前扉側機器と配線を介して接続されるコネクタは、前記第２コネクタを含むとともに、複数であって、互いに異なる色である、
ことを特徴とする遊技機。
【請求項２】
複数の前記組合せにおける前記第１コネクタ及び前記第２コネクタのすべてのコネクタのうち少なくとも１つのコネクタは、中継用の基板を介して、対応する前記本体側機器又は前記前扉側機器と接続されている、ことを特徴とする請求項１に記載の遊技機。
【請求項３】
前記制御基板が有する前記複数のコネクタは、他のコネクタとは色が異なり単独の色である第３コネクタを備え、
前記第３コネクタは、前記本体側機器及び前記前扉側機器の少なくともいずれかに配線を介して接続され、
前記第３コネクタは、前記制御基板から信号を外部に出力し、外部から前記制御基板に信号を入力することはない、ことを特徴とする請求項１又は請求項２に記載の遊技機。
【請求項４】
前記制御基板を収納するケースを有し、
前記第１コネクタおよび前記第２コネクタは、前記ケースの外部に露出されて、前記制御基板上において所定の方向に沿って一列に並んで配置されている、  ことを特徴とする請求項１から請求項３のいずれかに記載の遊技機。
【請求項５】
遊技者が操作する操作手段を備え、
前記操作手段は、前記第２コネクタに接続されている、ことを特徴とする請求項１から請求項４のいずれかに記載の遊技機。
【請求項６】
前記第１コネクタと前記第２コネクタは複数であり、
前記前扉側機器と配線を介して接続される前記第２コネクタは、前記制御基板においてまとまって配置され、これら前記第２コネクタの間に、前記本体側機器と配線を介して接続される前記第１コネクタが挟まれることがない、ことを特徴とする請求項４に記載の遊技機。
【発明の詳細な説明】
【技術分野】
【０００１】
本発明は、筐体内に電気部品を備えた遊技機に関する。
【背景技術】
【０００２】
遊技機であるスロットマシンやパチンコ機等には、モータ等の電動機、映像表示装置、スピーカー及びランプ等の電気により作動する部品が多く用いられている。そして、これらの部品には電気配線が接続され、電気配線を介して電力が供給されている。また、遊技機には、遊技機全体の動作や遊技状態を制御するために、各部品に制御信号等を送信する制御装置も搭載されている。この制御装置と各部品とは電気配線により接続されており、この電気配線により電気信号の送信が行われている。
【０００３】
これら電気配線は遊技機の筐体内に設けられており、その数は多く煩雑である。特に、配線を誤って接続すると、遊技機が正しく動作しなかったり、故障したりする等の不具合が生じるとの問題もある。
【０００４】
一般的には、基板等に設けられた複数の端子を有するコネクタに、ハーネスと呼ばれる複数の配線が設けられたコネクタを接続することにより各部品間等における接続を行う。コネクタ同士を接続することにより部品間の配線がなされることから、簡単に配線でき、誤った配線を行うことを抑制できる。しかし、対応するコネクタ同士ではなく、対応しないコネクタ同士を誤って接続してしまうこともあり得る。この場合は、コネクタ同士が接続されていても、結局、誤った配線を行うこととなることから、遊技機が正しく動作しなかったり、故障したりする等の不具合が生じる可能性がある。そのため、コネクタ同士の接続を誤ることがないように注意して作業をすることが必要である。また、配線を間違えにくい構成とすることが好ましい。
【０００５】
例えば、特許文献１には、接続基板に設けられた複数の第１のコネクタ接続部および複数の第２のコネクタ接続部が設けられており、複数の第１のコネクタ接続部のそれぞれを異なる色彩で着色すると共に、複数の第２のコネクタ接続部の夫々を異なる色彩で着色するよう構成された遊技機が開示されている。この遊技機によれば、第１のコネクタ接続部および第２のコネクタ接続部を間違えにくく、正しいコネクタ接続を容易に行うことができるとの効果を奏する。
【先行技術文献】
【特許文献】
【０００６】
【特許文献１】特開２０１６−４１１９８号公報
【発明の概要】
【発明が解決しようとする課題】
【０００７】
しかし、上記特許文献１に記載された遊技機では、２種類のコネクタについて、接続を間違えることを抑制することができるにすぎない。例えば、遊技機において主制御装置を搭載する主制御基板は、数多くの部品と配線により接続されていることから、２種類のコネクタでは足りず、さらに多くの種類のコネクタが主制御基板上に設けられることとなる。また、コネクタの種類に合わせて着色する色彩を増やしていけばよいが、色彩が増え過ぎると、コネクタにおける互いの色彩の違いがわかりにくくなり、誤ったコネクタを選択してしまう可能性がある。そのため、かえって配線作業を困難にし、誤った配線がなされることを助長しかねないとの問題が生じる。また、単にコネクタの種類に応じて色彩を変えるというだけでは、コネクタ同士の違いを認識することはできるが、そのコネクタの配線位置を示唆することができず、配線作業の負担軽減にはつながりにくいとの問題がある。
【０００８】
本発明は、このような問題に鑑みてなされたものであり、その目的は、コネクタの接続を誤りにくく、配線作業の負担を軽減できる遊技機を提供することである。
【課題を解決するための手段】
【０００９】
本発明の一態様に係る遊技機は、
筐体本体及び前記筐体本体の前側に配置された前扉を有する筐体と、
前記筐体内に配置された制御基板と、
前記制御基板に設置された複数のコネクタと、を備え、
前記複数のコネクタは、互いに同じ色の２つのコネクタの組合せを複数有し、
前記組合せごとにコネクタの色が異なっており、
前記組合せのそれぞれにおける一方のコネクタである第１コネクタは前記筐体本体側に設置された本体側機器と配線を介して接続されていて、他方のコネクタである第２コネクタは前記前扉側に配置された前扉側機器と配線を介して接続されている、ことを特徴とする。
【００１０】
上記発明によれば、制御基板に設置されたコネクタにおいて同じ色の２つのコネクタのうち、一方は筐体本体側に設置された本体側機器と配線を介して接続され、他方は前扉側に配置された前扉側機器と配線を介して接続されていることから、コネクタ間に配線を施す配線作業の負担が軽減される。具体的には、作業者が、まず、制御基板のコネクタのうち本体側機器に接続されるコネクタの配線作業を行い、終了した後に、制御基板のコネクタのうち前扉側機器に接続されるコネクタの配線作業を行おうとした際に、配線作業を行おうとしたコネクタの色がすべて異なる場合は、本体側機器に接続されるコネクタの配線作業は正しく行われていることを容易に認識することができる。また、同じ色のコネクタが存在する場合は、配線を誤っている可能性があることを容易に認識できる。そのため、本体側機器に接続されるコネクタの配線作業が正しいか否かを容易に確認することができることから、配線作業の負担を軽減できる。そして、本体側機器に接続されるコネクタの配線作業が正しいことを確認した後に、残りの前扉側機器に接続されるコネクタの配線作業を行えばよい。これにより、効率良く、正しい配線作業を行うことができる。なお、制御基板のコネクタのうち前扉側機器に接続されるコネクタの配線作業をまず行い、この配線作業が正しく行われたことを確認した後に、制御基板のコネクタのうち本体側機器に接続されるコネクタの配線作業を行ってもよい。また、制御基板が有する複数のコネクタは、互いに同じ色の２つのコネクタの組合せを複数有していることから、すべてのコネクタの色が互いに異なるわけではなく、同じ色の２つのコネクタの組合せが複数組存在することから、コネクタをすべて異なる色とする場合と比較して、コネクタに用いられる色の数が多くなりすぎることがなく、作業者によるコネクタの識別が容易である。また、コネクタの製造コストを抑制できる。
【００１１】
また、上述の遊技機において、
複数の前記組合せにおける前記第１コネクタ及び前記第２コネクタのすべてのコネクタのうち少なくとも１つのコネクタは、中継用の基板を介して、対応する前記本体側機器又は前記前扉側機器と接続されている、こととしてもよい。
【００１２】
なお、「対応する本体側機器又は前扉側機器と接続されている」とは、「少なくとも１つのコネクタ」が中継用の基板を介して「本体側機器」のみに接続され、「前扉側機器」とは中継用の基板を介することなく接続される構成を含む。同様に、「少なくとも１つのコネクタ」が中継用の基板を介して「前扉側機器」のみに接続され、「本体側機器」とは中継用の基板を介することなく接続される構成も含む。
【００１３】
これにより、第１コネクタ及び第２コネクタのすべてのコネクタのうち少なくとも１つのコネクタは、中継用の基板を介して、対応する本体側機器及び前扉側機器のいずれかと接続されていることから、制御基板が有する第１コネクタ及び第２コネクタの数の増加を抑制することができる。つまり、制御基板との間で信号をやり取りする各部品に対して、中継用の基板を介さずに制御基板から直接配線が設けられている場合は、制御基板は信号をやり取りする部品とは一対一の関係で接続されることから、制御基板は部品の数だけコネクタを有することとなり、部品が増えれば制御基板のコネクタも増えることとなる。そこで、中継用の基板を有することにより、制御基板は、例えば、複数の部品について中継用の基板と接続される１つのコネクタを有することとし、中継用の基板と複数の部品とが接続されることとすればよい。つまり、中継用の基板により制御基板から複数の部品の信号を受信し、中継用の基板において各部品に分けて信号を送信することとすればよい。これにより、制御基板と信号のやり取りを行う部品が増加しても、制御基板が有する第１コネクタ及び第２コネクタの数が増加することを抑制することができる。これにより、制御基板のコネクタの数が増加することを抑制できることから、コネクタに用いる色が増加することも抑制することができる。したがって、コネクタに用いられる色の数が多くなりすぎることがなく、作業者によるコネクタの識別が容易である。
【００１４】
また、上述の遊技機において、
前記制御基板が有する前記複数のコネクタは、他のコネクタとは色が異なり単独の色である第３コネクタを備え、
前記第３コネクタは、前記本体側機器及び前記前扉側機器の少なくともいずれかに配線を介して接続され、
前記第３コネクタは、前記制御基板から信号を外部に出力し、外部から前記制御基板に信号を入力することはない、こととしてもよい。
【００１５】
このように、第３コネクタは、他のコネクタとは色が異なり単独の色であることから、作業者は容易に第３コネクタを認識することができる。ここで、第３コネクタは、制御基板から信号を外部に出力し、外部から制御基板に信号を入力するものである。仮に、第３コネクタの接続を誤って、第３コネクタを介して外部からの信号が制御基板に入力されるようなこととなれば、不正行為が行われる可能性があるとの不具合が生じる。したがって、第３コネクタについては、作業者は特に注意しながら配線作業を行うものである。上述したように上記発明によれば、第３コネクタを容易に認識することができることから、作業者は特に注意していなくても第３コネクタを容易に認識でき、配線作業の負担を軽減できる。
【００１６】
また、上述の遊技機において、
前記制御基板を収納するケースと、
前記制御基板以外に、前記ケース内に収納されたケース内基板と、を備え、
前記制御基板が有する前記複数のコネクタは、前記ケース内において前記ケース内基板に設けられたコネクタと、直接接続される第４コネクタを有し、
前記第１コネクタ及び前記第２コネクタは、前記ケースの外部に露出されている、こととしてもよい。
【００１７】
これにより、制御基板が有するコネクタが、ケース内に収納されたケース内基板に設けられたコネクタと直接接続される第４コネクタを有していることから、第４コネクタと他のコネクタとを間違えにくく、誤った配線作業を行うことを防止することができる。また、上記発明によれば、第１コネクタ及び第２コネクタはケースの外部に露出されていることから、第１コネクタ及び第２コネクタと、第４コネクタとを間違えて、配線作業を行うことを防止できる。また、第１コネクタ及び第２コネクタはケースの外部に露出されていることから、第１コネクタ及び第２コネクタの作業者はケースを介さずに直接第１コネクタ及び第２コネクタを視覚により認識することとなるため、第１コネクタ及び第２コネクタの色を見間違えにくく、コネクタの識別が容易であることから、配線作業を行いやすい。
【００１８】
また、上述の遊技機において、
前記制御基板が有する前記複数のコネクタは、前記制御基板上において所定の方向に沿って並んで配置されている、こととしてもよい。
【００１９】
このように、複数のコネクタが制御基板上において所定の方向に沿って並んで配置されていることから、配線作業が容易であり、作業負担を軽減できる。つまり、制御基板上、複数のコネクタがランダムに配置されている場合は、作業者はコネクタの位置を確認しながら配線作業を行うこととなるが、コネクタが所定の方向に沿って並んで配置されている場合は、コネクタの位置を把握しやすく、配線作業が容易である。
【００２０】
また、上述の遊技機において、
前記第１コネクタ、前記第２コネクタ及び前記第３コネクタは、前記制御基板上において所定の方向に沿って並んで配置され、
前記第４コネクタは、前記制御基板上において、前記第１コネクタ、前記第２コネクタ及び前記第３コネクタとは離間した位置に配置されている、こととしてもよい。
【００２１】
このように、ケースの外側に配置されるコネクタと接続される第１コネクタ、第２コネクタ及び第３コネクタは制御基板上において所定の方向に沿って並んで配置され、ケース内基板に設けられたコネクタと接続される第４コネクタはこれらのコネクタとは離間した位置に配置されている。これにより、ケースの外側に配置されたコネクタと接続されるコネクタ（第１コネクタ、第２コネクタ及び第３コネクタ）と、ケースの内側に配置されたコネクタと接続されるコネクタ（第４コネクタ）と、を作業者が識別しやすい。これにより、配線作業が容易である。また、第１コネクタ、第２コネクタ及び第３コネクタについては、コネクタが所定の方向に沿って並んで配置されていることから、コネクタの位置を把握しやすく、配線作業が容易である。
【００２２】
また、上述の遊技機において、
遊技者が操作する操作手段を備え、
前記操作手段は、前記第２コネクタに接続されている、こととしてもよい。
【００２３】
これにより、遊技者が操作することから故障しやすい操作手段は、第２コネクタに接続されている。つまり、修理や交換等のメンテナンス作業が生じやすい部品が第２コネクタに集中して接続されている。ここで、第２コネクタはそれぞれ異なる色であることから、作業者にとって各コネクタの識別性が高く、メンテナンス作業の対象である部品に接続されたコネクタを容易に識別することができるため、メンテナンス作業が容易である。
【００２４】
また、本発明の他の一態様に係る遊技機は、
筐体本体及び前記筐体本体の前側に配置された前扉を有する筐体と、
前記筐体内において前記前扉に配置された制御基板と、
前記制御基板に設置された複数のコネクタと、を備え、
前記複数のコネクタは、互いに同じ色の２つのコネクタの組合せを複数有し、
前記組合せごとにコネクタの色が異なっており、
前記組合せのそれぞれにおける一方のコネクタである第１コネクタは前記筐体本体側に設置された本体側機器と配線を介して接続されていて、他方のコネクタである第２コネクタは前記前扉側に配置された前扉側機器と配線を介して接続されている、ことを特徴とする。
【００２５】
上記発明によれば、前扉に配置された制御基板に設置されたコネクタにおいて同じ色の２つのコネクタのうち、一方は筐体本体側に設置された本体側機器と配線を介して接続され、他方は前扉側に配置された前扉側機器と配線を介して接続されていることから、コネクタ間に配線を施す配線作業の負担が軽減される。具体的には、作業者が、まず、制御基板のコネクタのうち本体側機器に接続されるコネクタの配線作業を行い、終了した後に、制御基板のコネクタのうち前扉側機器に接続されるコネクタの配線作業を行おうとした際に、配線作業を行おうとしたコネクタの色がすべて異なる場合は、本体側機器に接続されるコネクタの配線作業は正しく行われていることを容易に認識することができる。また、同じ色のコネクタが存在する場合は、配線を誤っている可能性があることを容易に認識できる。そのため、本体側機器に接続されるコネクタの配線作業が正しいか否かを容易に確認することができることから、配線作業の負担を軽減できる。そして、本体側機器に接続されるコネクタの配線作業が正しいことを確認した後に、残りの前扉側機器に接続されるコネクタの配線作業を行えばよい。これにより、効率良く、正しい配線作業を行うことができる。なお、制御基板のコネクタのうち前扉側機器に接続されるコネクタの配線作業をまず行い、この配線作業が正しく行われたことを確認した後に、制御基板のコネクタのうち本体側機器に接続されるコネクタの配線作業を行ってもよい。また、制御基板が有する複数のコネクタは、互いに同じ色の２つのコネクタの組合せを複数有していることから、すべてのコネクタの色が互いに異なるわけではなく、同じ色の２つのコネクタの組合せが複数組存在することから、コネクタをすべて異なる色とする場合と比較して、コネクタに用いられる色の数が多くなりすぎることがなく、作業者によるコネクタの識別が容易である。また、コネクタの製造コストを抑制できる。
【００２６】
また、本発明のさらに他の一態様に係る遊技機は、
筐体本体及び前記筐体本体の前側に配置された前扉を有する筐体と、
前記筐体内に配置された制御基板と、
前記制御基板に設置された複数のコネクタと、を備え、
前記複数のコネクタは、互いに同じ色の複数種類のコネクタの組合せを複数有し、
前記組合せごとにコネクタの色が異なっており、
前記組合せのそれぞれにおける前記複数種類のコネクタは、前記筐体本体及び前記前扉において互いに異なる場所に設置された機器と配線を介して接続されている、ことを特徴とする。
【００２７】
上記発明によれば、制御基板に設置されたコネクタにおいて、互いに同じ色の複数種類のコネクタの組合せを複数有し、この組合せごとにコネクタの色が異なっており、組合せのそれぞれにおける複数種類のコネクタは、筐体本体及び前扉において互いに異なる場所に設置された機器と配線を介して接続されている。これにより、コネクタ間に配線を施す配線作業の負担が軽減される。配線作業において作業者は、互いに異なる場所に設置された機器ごとに配線作業を行う。つまり、一つの機器に対して制御基板との配線を行い、この機器に対する配線が終了すると、この機器とは別の場所に設置された機器に対して制御基板との配線を行う。この作業において、いずれかの機器に対して制御基板との配線が終了した際に、制御基板において、まだ配線がなされていないコネクタの色を確認することにより、容易に配線の誤りに気づくことができる。例えば、制御基板と配線すべき機器が残り一つであるにもかかわらず、制御基板においてまだ配線がなされていないコネクタの中に、同一の色を有するコネクタが複数残っているならば、配線が誤っている可能性がある。このように、誤った配線を行ったとしても、誤っていることを容易に認識できる。特に、視覚により容易に配線の誤りに気づくことができることから、コネクタの配線作業が正しく行われたか否かを容易に認識することができるため、配線作業の負担を軽減できる。また、同じ色のコネクタが複数存在することから、コネクタをすべて異なる色とする場合と比較して、コネクタに用いられる色の数が多くなりすぎることがなく、作業者によるコネクタの識別が容易である。また、コネクタの製造コストを抑制できる。
【図面の簡単な説明】
【００２８】
【図１】本発明の実施形態に係る遊技機の外観構成を示す正面図である。
【図２】本発明の実施形態に係る遊技機の内部構成を示す前扉が開かれた状態の斜視図である。
【図３】本発明の実施形態に係る遊技機における電気的接続を概略的に示すブロック図である。
【図４】本発明の実施形態に係る遊技機の制御基板ユニットの外観の概略構成を示す斜視図である。
【図５】本発明の実施形態に係る遊技機における基板ケース内の基板の概略構成を示す図である。
【図６】本発明の実施形態に係る遊技機のメイン制御基板におけるコネクタの配線を示すための配線図である。
【図７】本発明の他の実施形態１に係る遊技機のメイン制御基板におけるコネクタの配線を示すための配線図である。
【発明を実施するための形態】
【００２９】
本発明の遊技機の実施形態について、図面を参照しながら、具体的に説明する。なお、以下の説明において、本発明の実施形態に係る遊技機として回胴式遊技機（いわゆる、スロットマシン）であるパチスロ遊技機を例に挙げて説明するが、本発明の遊技機は、このパチスロ遊技機に限定されるわけではない。これ以外のパチスロ遊技機だけでなく、例えば、パチンコ遊技機等、パチスロ遊技機以外の遊技機であってもかまわない。また、金属等で作られた実在するメダル等を遊技媒体として利用せずに、電子データのみを取り扱うことで遊技を行うことができる、いわゆるメダルレスのパチスロ遊技機であってもかまわない。
【００３０】
なお、本明細書において、方向についての定義等が示されていない場合には、遊技機１０に向かって位置する遊技者から見て左側の方向を「左」方向とし、遊技者から見て右側の方向を「右」方向とする。同様に、「上」や「下」等の上下方向も、遊技者から見た場合の上方向や下方向を意味する。また、遊技機１０の正面から遊技者に向かう方向を「前」方向とし、その逆方向を「後」方向とする。また、遊技機１０における各部材の説明についても、方向についての定義等が示されていない場合には、各部材が遊技機１０の所定位置に配置されている状態において遊技者から見た方向としている。
【００３１】
（遊技機１０の外観構成）
本実施形態１に係る遊技機の外観構成について図面を用いて説明する。図１は、本発明の実施形態に係る遊技機の外観構成を示す正面図である。また、図２は、本発明の実施形態に係る遊技機の内部構成を示す前扉が開かれた状態の斜視図である。
【００３２】
図１に示すように、遊技機１０は、その前面側に、メダルを投入するためのメダル投入口１１と、メダルを払い出すためのメダル払出口１２と、メダル払出口１２から払い出されたメダルを貯留するメダル受け皿５と、外周面に図柄８が描かれていてこれら図柄８を変動表示する３つのリール１４ａ、１４ｂ、１４ｃと、映像演出を行うための液晶ディスプレイ１６と、照明演出を行うための上部ランプ１、上サイドランプ２ａ、中サイドランプ２ｂ及び下サイドランプ２ｃと、音声演出を行うためのスピ−カー１７と、を備えている。なお、３つのリール１４ａ、１４ｂ、１４ｃの外周面に形成された図柄８は、遊技機１０の前扉１０ｂ（図２を参照）に形成されたリール窓１０ｅによって遊技者から視認可能である。また、上サイドランプ２ａ、中サイドランプ２ｂ、下サイドランプ２ｃ及びスピ−カー１７は、それぞれ左右に１つずつ配置されている。
【００３３】
また、遊技機１０は、操作部として、１遊技当たりの最大枚数（通常３枚）のメダルをベットするためのマックスベットボタン（前扉側機器）１８と、ベットするメダルを１枚ずつ増加するためのシングルベットボタン（前扉側機器）１９と、リール１４ａ、１４ｂ、１４ｃの回転を開始するためのスタートレバー（前扉側機器）２０と、リール１４ａ、１４ｂ、１４ｃの回転をそれぞれ停止するための３つのストップボタン（前扉側機器）２２ａ、２２ｂ、２２ｃと、遊技中の所定の演出を切り替える等の遊技者が操作をするための演出用ボタン７と、クレジットされたメダルを払い戻すための払戻しボタン（前扉側機器）２５と、メダルの貯留枚数を表示するクレジット枚数表示器（前扉側機器）２６と、入賞成立時等において遊技機１０から払い出されたメダルの払出枚数を表示する払出枚数表示器（前扉側機器）２７と、「有利区間」及び「非有利区間」への移行を報知する区間報知ランプ（前扉側機器）３７と、を備える。なお、演出用ボタン７にはランプも内蔵されており、点灯及び消灯により、遊技者に所定の報知を行うことができる。また、クレジット枚数表示器２６及び払出枚数表示器２７は、それぞれ７セグメントの小型のＬＥＤ（発光ダイオード）により構成されており、２桁の数字を表示可能である。
【００３４】
ここで、「有利区間」とはストップボタン２２ａ、２２ｂ、２２ｃの操作態様を報知可能な遊技状態であり、「非有利区間」とはストップボタン２２ａ、２２ｂ、２２ｃの操作態様を報知不可能な遊技状態である。なお、ストップボタン２２ａ、２２ｂ、２２ｃの操作態様としては、役抽選の抽選結果（具体的には当選役）に対して予め設定されている押し順（停止操作順序）であって、例えば抽選結果に対して複数の押し順が設定されている場合に、遊技者にとって最も有利となる押し順が相当する。例えば、いわゆる「順押し」の場合は１枚のメダルが払い出され、いわゆる「逆押し」の場合は１５枚のメダルが払い出される。一般的には、「非有利区間」中の遊技において、所定の移行条件が成立（例えば役抽選により特定の移行役に当選）した場合に、所定の抽選（有利区間移行抽選）に当選することで、「非有利区間」から「有利区間」へ移行可能となる。一方、「有利区間」中の遊技において、所定の終了条件が成立した場合は「有利区間」から「非有利区間」へ移行する。なお、上記所定の終了条件としては、例えば、「有利区間」中の消化ゲーム数が１５００ゲームに達すること、である。
【００３５】
第１リールであるリール１４ａ、第２リールであるリール１４ｂ及び第３リールであるリール１４ｃは、それぞれ、この順で、遊技者から見て左から右へと並んで配置されており、これらリール１４ａ、１４ｂ、１４ｃに対応してリール１４ａ、１４ｂ、１４ｃの回転を停止させるためのストップボタン２２ａ、２２ｂ、２２ｃも、遊技者から見て左から右へとこの順で並んで配置されている。
【００３６】
この遊技機１０は、ベットされたメダルの枚数が予め定められた規定枚数（例えば３枚）に達した状態でスタートレバー２０が操作されると、役抽選が実行されるとともにリール１４ａ、１４ｂ、１４ｃが一斉に回転を開始し、ストップボタン２２ａ、２２ｂ、２２ｃがそれぞれ操作されると、操作されたストップボタン２２ａ、２２ｂ、２２ｃに対応する各リール１４ａ、１４ｂ、１４ｃの回転が停止し、すべてのリール１４ａ、１４ｂ、１４ｃが停止したときにリール窓１０ｅの有効ライン上に表示される図柄８の組み合わせが役抽選で当選した役に対応したものとなっていた場合（入賞した場合）は、その役に応じた枚数のメダルが払い出される。なお、メダルのクレジット枚数が上限値（本実施形態では５０枚）に達しているときに、メダルが払い出される場合は、ホッパーユニット３６（図２を参照）から送出されたメダルがメダル払出口１２を通じて払い出されるようになっている。また、メダル払出口１２から払い出されたメダルは、メダル受け皿５に貯留される。このように、クレジット枚数の上限値は決まっており、上限値を超えて遊技機１０内にメダルを貯留することはできない。しかし、メダル投入口１１にメダルが投入されるか、又は、入賞によってメダルが払い出された場合に、メダルのクレジット枚数が上限値に達していない場合は遊技機１０内に貯留されて、メダルのクレジット枚数が増加する。
【００３７】
ここで、リール１４ａ、１４ｂ、１４ｃの外周面には、例えば、「白セブン」、「赤セブン」、「バー１」、「バー２」、「チェリー」、「スイカ」、「リプレイ」、「ベル」、「ブランク」等の複数の図柄８が形成されている。これらの図柄８は、例えば、それぞれの絵柄がプリントされたテープをリール１４ａ、１４ｂ、１４ｃの外周面に貼付されることで形成されている。
【００３８】
図２に示すように、遊技機１０は、遊技機筐体１０ｄを備えている。遊技機筐体１０ｄは、前方が開放された箱状である筺体本体１０ａと、筺体本体１０ａの前面側に開閉可能な状態で取り付けられていて、リール１４ａ、１４ｂ、１４ｃの外周面に形成された図柄８を遊技者から視認可能とするリール窓１０ｅが形成された前扉１０ｂとを有し、これら筺体本体１０ａ及び前扉１０ｂが遊技機筺体１０ｄを構成する。この遊技機筐体１０ｄの内部には、各種の機器が収容されている。なお、機器とは、モータ等を有し電気により動作する装置だけでなく、電子素子等が搭載された基板や、単に電気接続を中継するだけの基板等も含み、電気的接続がなされているものすべてをいう。本実施形態において、遊技機筺体１０ｄの内部には、メイン制御基板ユニット３０、サブ制御基板ユニット３１、液晶ユニット３２、電源ユニット３３、ホッパーユニット（本体側機器）３６、リールユニット（本体側機器）４１、操作部中継基板（中継用の基板）３４、外部集中端子板５２及び電源中継基板（中継用の基板）４４等が納められている。また、遊技機筐体１０ｄの内部には、投入されたメダルが正規のものか否かを選別するメダルセレクタ（前扉側機器）５１も設置されている。
【００３９】
メイン制御基板ユニット３０は、基板ケース１１４（図４を参照）と、基板ケース１１４内に収納されたメイン制御基板１００（図３及び図５を参照）と、設定変更基板４２（図３を参照）と、を備えている。詳細は後述するが、メイン制御基板１００は、役抽選、入賞判定及び遊技動作等、遊技における基本的な制御を行う電子基板である。また、設定変更基板４２は、遊技機１０においてボーナス等に当選する確率を変更するための設定キースイッチ５５及び設定変更スイッチ５６や、設定値を表示するための設定表示器５７を有する電子基板である。
【００４０】
サブ制御基板ユニット３１は、発光ランプや音声による演出等、遊技における演出に関する制御を行う電子基板であるサブ制御基板２００（図３を参照）を備えている。液晶ユニット３２は、液晶ディスプレイ１６及び液晶ディスプレイ１６に表示される映像による演出に関する制御を行う電子基板である映像基板を備えている。
【００４１】
また、電源ユニット３３は、筺体本体１０ａ内の下部に設けられている。電源ユニット３３は各部材に電力を供給するものであり、遊技機１０に対して電源投入操作又は電源遮断操作を行う電源スイッチと、遊技機１０における各部品に電力を供給する電子基板である電源基板と、を備えている。
【００４２】
ホッパーユニット３６は、メダル投入口１１に投入されたメダルを回収するとともに、メイン制御基板１００からの信号に基づいてメダル払出口１２（図１を参照）へメダルを送出する制御を行う電子基板であるホッパー制御基板を備えている。リールユニット４１は、リール１４ａ、１４ｂ、１４ｃの回転をそれぞれ独立して制御する電子基板であるリール駆動基板等を備えている。
【００４３】
詳細は後述するが、操作部中継基板３４、外部集中端子板５２及び電源中継基板４４は、特定の機器に接続されたケーブルを中継する電子基板である中継基板である。また、メダルセレクタ５１は、メダル投入口１１に投入されたメダルが正規のものか否かを選別して、正規のメダルのみをホッパーユニット３６に導く。
【００４４】
（遊技機１０の電気的な構成）
図１及び図２に加えて、図３を参照しながら、遊技機１０の電気的な構成について説明する。なお、図３は、本発明の実施形態に係る遊技機における電気的接続を概略的に示すブロック図である。なお、図３では、信号の入出力について示しており、電力の供給については示していない。したがって、電源ユニット３３等については図示していない。以下の説明についても、主に信号の入出力について説明する。また、以下の各部材の説明において、すでに説明した内容については省略することがある。
【００４５】
（設定変更基板４２）
上述したように、設定変更基板（ケース内基板）４２は、メイン制御基板１００と同様に基板ケース１１４（図４を参照）内に収納されている。なお、基板ケース１１４は、筺体本体１０ａ内において、筺体本体１０ａの背板１０ｃに設置されている。設定変更基板４２は、設定キースイッチ５５と、設定変更スイッチ５６と、設定表示器５７と、を備えている。設定変更スイッチ５６及び設定キースイッチ５５を操作することにより設定変更を行うことが可能である。また、設定された設定値が、設定表示器５７に表示される。
【００４６】
ここで、遊技機１０においては、予め設定された当選確率に応じてボーナス等の役に決定されるか否かの抽選が行われるが、設定値を変更することにより、この当選確率を変更することが可能である。具体的には、遊技機１０は、設定１〜設定６の６つの設定値を有しており、ボーナスを含む役に決定される抽選確率が設定値毎に異なっている。なお、設定変更スイッチ５６は遊技機筐体１０ｄ内部に配置されていることから、遊技店側である管理者は設定値を変更することができるが、遊技者が設定値を変更することはできない。
【００４７】
設定表示器５７は、例えば７セグメントの小型のＬＥＤにより構成されており、現在の設定値を表示する。なお、設定表示器５７も遊技機筐体１０ｄ内に配置されていることから、遊技者が設定値を認識することは困難である。さらに、設定値を設定した後、所定時間が経過すると、設定表示器５７の表示が消えるように設定されている。これにより、設定値を変更した者以外に設定値が漏れることが防止される。
【００４８】
前扉１０ｂを開けた状態で、基板ケース１１４の一部を開けて外部に露出させた設定変更基板４２の設定キースイッチ５５及び設定変更スイッチ５６等を用いて所定の操作を行うことにより、設定値を変更して確定することができる。なお、設定キースイッチ５５を操作するためには専用のキーが必要であることから、遊技者等が勝手に操作することはできない。また、設定表示器５７には設定値が表示される。なお、基板ケース１１４において設定変更基板４２を外部に露出することは可能であるが、不正行為を防止するために、メイン制御基板１００が外部に露出されることはない。
【００４９】
（外部集中端子板５２）
遊技機筐体１０ｄの内部において右側には、遊技データ等の信号を遊技機１０の外部に出力するための外部集中端子板５２が設けられている。外部集中端子板５２は、メイン制御基板１００と配線されるコネクタや、外部機器と配線されるコネクタが設けられた端子板である。遊技機１０は、外部集中端子板５２を介して、データ表示器等の遊技島設備やホールコンピュータ等と電気的に接続されている。
【００５０】
（リールユニット４１）
リール窓１０ｅの後方向（奥方向）には、各リール１４ａ、１４ｂ、１４ｃにそれぞれ対応した３つのステッピングモータであるリール駆動モータ６０ａ、６０ｂ、６０ｃと、リール駆動モータ６０ａ、６０ｂ、６０ｃによってそれぞれ回転させられる３つのリール１４ａ、１４ｂ、１４ｃと、各リール１４ａ、１４ｂ、１４ｃの回転位置を検出するためのリール位置センサ６５ａ、６５ｂ、６５ｃと、これらを保持するユニットホルダ（図示せず）と、を備えるリールユニット４１が配置されている。なお、リール位置センサ６５ａ、６５ｂ、６５ｃは、例えば光センサであって、各リール１４ａ、１４ｂ、１４ｃの原点位置を検出することにより、リール１４ａ、１４ｂ、１４ｃが一回転したことを示すリールインデックス信号を出力する。なお、リールインデックス信号に基づいて図柄８の位置を把握することも可能となる。
【００５１】
さらに、リールユニット４１は、リール駆動モータ６０ａ、６０ｂ、６０ｃ及びメイン制御基板１００間の信号を中継し、リール位置センサ６５ａ、６５ｂ、６５ｃ及びメイン制御基板１００間の信号を中継する回胴中継基板４３を備えている。具体的には、リール駆動モータ６０ａ、６０ｂ、６０ｃの動作を制御するためにメイン制御基板１００からリール駆動モータ６０ａ、６０ｂ、６０ｃに信号が送信され、リール位置センサ６５ａ、６５ｂ、６５ｃにより検出されたリールインデックス信号がメイン制御基板１００に送信されている。そして、回胴中継基板４３が、これらリール駆動モータ６０ａ、６０ｂ、６０ｃ及びリール位置センサ６５ａ、６５ｂ、６５ｃと、メイン制御基板１００との間において、信号を中継する。
【００５２】
（扉開閉用スイッチ５３）
筺体本体１０ａ内の下部には、前扉１０ｂの開閉を検知する扉開閉用スイッチ（本体側機器）５３が配置されている。例えば、前扉１０ｂが閉じられた状態で前扉１０ｂが扉開閉用スイッチ５３を押圧して扉開閉用スイッチ５３がオンとなり、前扉１０ｂが開かれた場合は扉開閉用スイッチ５３と前扉１０ｂとが離間して、扉開閉用スイッチ５３の押圧が解除されて扉開閉用スイッチ５３がオフとなるように扉開閉用スイッチ５３が配置されている。
【００５３】
（ホッパーユニット３６）
筺体本体１０ａ内の下部にはメダルを貯留することができるとともに、メダルを払い出すことができるホッパーユニット３６が設けられている。ホッパーユニット３６は、メダルセレクタ５１から送られてきた正規のメダルを貯留するメダルタンク（図示せず）と、メダルをメダル払出口１２へと移動させるように駆動するホッパーモータ６１と、ホッパーユニット３６の出口付近に設けられてメダル払出口１２から払い出されたメダル数を検出する払出センサ６７と、メダルタンクから溢れたメダルを収納するための補助タンク（図示せず）と、補助タンク内がメダルで満たされたことを検出するオーバーフローセンサ６８と、を有する。
【００５４】
（メダルセレクタ５１）
前扉１０ｂの裏側（後側）において、メダル投入口１１の近傍には、投入されたメダルが正規のものか否かを選別して、正規のメダルのみを後述するホッパーユニット３６に導くメダルセレクタ５１が設けられている。メダルセレクタ５１は、メダル投入口１１に投入されたメダルを１枚ずつ検出する投入センサ６６と、メダルの進路を制御するためにメダル流路を切換える流路切換ソレノイド６９と、を備えている。
【００５５】
なお、前扉１０ｂの裏側には図示しないメダル通路が設けられている。例えば、メダルセレクタ５１によって非正規のメダルと判断されたメダルや、後述するホッパーユニット３６から払い出されたメダルは、このメダル通路を通じてメダル払出口１２に導かれ、メダル払出口１２から遊技機筐体１０ｄの外部に払い出される。
【００５６】
（電源中継基板４４）
筺体本体１０ａには、扉開閉用スイッチ５３及びメイン制御基板１００間の信号を中継し、ホッパーユニット３６及びメイン制御基板１００間の信号を中継する電源中継基板４４が配置されている。
【００５７】
（操作部中継基板３４）
前扉１０ｂの裏側（後側）には、マックスベットボタン１８、シングルベットボタン１９、ストップボタン２２ａ、２２ｂ、２２ｃ、メダルセレクタ５１、払戻しボタン２５、クレジット枚数表示器２６、払出枚数表示器２７及び区間報知ランプ３７のそれぞれと、メイン制御基板１００との間の信号を中継する操作部中継基板３４が配置されている。
【００５８】
（制御装置）
遊技機１０は、全体の動作を制御するための制御装置を備えている、この制御装置はメイン制御基板１００及びサブ制御基板２００を有している。なお、メイン制御基板１００への不正アクセスを防止するために、メイン制御基板１００からサブ制御基板２００への通信は行われるが、サブ制御基板２００からメイン制御基板１００への通信は行うことができないように構成されている。
【００５９】
（メイン制御基板１００）
メイン制御基板ユニット３０は筺体本体１０ａ内に配置されており、メイン制御基板１００を備えている。なお、メイン制御基板１００は、基板ケース１１４に収納されている。メイン制御基板１００は、遊技機１０の動作を制御し、特に遊技を進行させて遊技状態を制御する。メイン制御基板１００は、メインＣＰＵ１１１と、メインＲＯＭ１１２と、メインＲＡＭ１１３と、を有するマイクロコンピュータを主要な構成要素とする。
【００６０】
メインＲＯＭ１１２には、メインＣＰＵ１１１により実行される制御プログラムや、内部抽選テーブル等のデータテーブルや、サブ制御基板２００に対して各種制御指令（コマンド）を送信するためのデータ等が記憶されている。また、メインＲＡＭ１１３には、制御プログラムの実行により決定された当選役等の各種データを格納する格納領域が設けられている。また、メインＣＰＵ１１１は、制御プログラムを実行し、遊技機１０の動作を制御する。
【００６１】
メイン制御基板１００には、設定変更基板４２（設定キースイッチ５５、設定変更スイッチ５６）、リールユニット４１（リール位置センサ６５ａ、６５ｂ、６５ｃ）、扉開閉用スイッチ５３、ホッパーユニット３６（払出センサ６７、オーバーフローセンサ６８）、スタートレバー２０、マックスベットボタン１８、シングルベットボタン１９、ストップボタン２２ａ、２２ｂ、２２ｃ、メダルセレクタ５１（投入センサ６６）及び払戻しボタン２５からの信号が入力される。また、メイン制御基板１００から、設定変更基板４２（設定表示器５７）、外部集中端子板５２、リールユニット４１（リール駆動モータ６０ａ、６０ｂ、６０ｃ）、ホッパーユニット３６（ホッパーモータ６１）、メダルセレクタ５１（流路切換ソレノイド６９）、クレジット枚数表示器２６、払出枚数表示器２７、区間報知ランプ３７及びサブ制御基板２００に信号を出力する。
【００６２】
上述したように、メイン制御基板１００は、各部品との間で信号の入出力を行うが、リールユニット４１（リール位置センサ６５ａ、６５ｂ、６５ｃ、リール駆動モータ６０ａ、６０ｂ、６０ｃ）に対しては、回胴中継基板４３（リールユニット４１）を介して信号の入出力を行う。また、メイン制御基板１００は、扉開閉用スイッチ５３及びホッパーユニット３６（払出センサ６７、ホッパーモータ６１、オーバーフローセンサ６８）に対しては、電源中継基板４４を介して信号の入出力を行う。また、メイン制御基板１００は、マックスベットボタン１８、シングルベットボタン１９、ストップボタン２２ａ、２２ｂ、２２ｃ、メダルセレクタ５１（投入センサ６６、流路切換ソレノイド６９）、払戻しボタン２５、クレジット枚数表示器２６、払出枚数表示器２７及び区間報知ランプ３７に対しては、操作部中継基板３４を介して信号の入出力を行う。また、メイン制御基板１００は、設定変更基板４２、外部集中端子板５２及びスタートレバー２０に対しては、中継基板を介さずに直接信号の入出力を行う。
【００６３】
このように、各部品の中には、メイン制御基板１００と直接接続されるわけではなく、中継基板を介して接続される部品がある。つまり、メイン制御基板１００と各部品がそれぞれ一対一で接続されているわけではなく、そのため、メイン制御基板１００のコネクタの数は接続されるすべての部品の数だけ必要というわけではない。したがって、それぞれ複数の部品と接続される回胴中継基板４３、電源中継基板４４及び操作部中継基板３４を設けたことにより、メイン制御基板１００が有するコネクタの数が増加することを抑制することができる。具体的には、メイン制御基板１００は、設定変更基板４２、外部集中端子板５２、回胴中継基板４３、電源中継基板４４、スタートレバー２０、操作部中継基板３４及びサブ制御基板２００のそれぞれと接続されるコネクタを有していればよく、詳細は後述するが、本実施形態においてメイン制御基板１００が有するコネクタは、７つあればよい。
【００６４】
（サブ制御基板２００）
サブ制御基板２００は、メイン制御基板１００と電気的に接続されており、メイン制御基板１００から送信されるコマンドに基づいて演出内容の決定や実行等の処理を行う。例えば、遊技内容に関する情報を遊技者に報知する演出等も行う。サブ制御基板２００は、サブＣＰＵ２０１と、サブＲＯＭ２０２と、サブＲＡＭ２０３と、を有するマイクロコンピュータを主要な構成要素とする。
【００６５】
サブＣＰＵ２０１は、メイン制御基板１００から送信されたコマンドに応じて、サブＲＯＭ２０２に記憶されている制御プログラムに従い、画像、音、光等の出力の制御を行う。サブＲＡＭ２０３には、決定された演出内容や演出データを登録する格納領域や、メイン制御基板１００から送信される内部当選役等の各種データを格納する格納領域等が設けられている。また、サブＲＯＭ２０２には、プログラム記憶領域とデータ記憶領域とが設けられている。
【００６６】
サブ制御基板２００には、演出用ボタン７及びメイン制御基板１００からの信号が入力される。また、サブ制御基板２００から、演出用ボタン７、上部ランプ１、上サイドランプ２ａ、中サイドランプ２ｂ、下サイドランプ２ｃ、スピーカー１７及び液晶ユニット３２（液晶ディスプレイ１６）に信号を出力する。
【００６７】
（メイン制御基板ユニット３０の構成）
次に、メイン制御基板ユニット３０構成について図面を用いて説明する。図４は、発明の実施形態に係る遊技機の制御基板ユニットの外観の概略構成を示す斜視図である。また、図５は、本発明の実施形態に係る遊技機における基板ケース内の基板の概略構成を示す図である。また、図６は、本発明の実施形態に係る遊技機のメイン制御基板におけるコネクタの配線を示すための配線図である。
【００６８】
図４に示すように、メイン制御基板ユニット３０は、基板ケース１１４を備えている。基板ケース１１４の内部には、メイン制御基板１００及び設定変更基板４２が収納されている。また、基板ケース１１４には、内部に収納されたメイン制御基板１００が有するコネクタ（第１コネクタ）ＣＮ４、コネクタ（第２コネクタ）ＣＮ６、コネクタ（第２コネクタ）ＣＮ５、コネクタ（第３コネクタ）ＣＮ７、コネクタ（第１コネクタ）ＣＮ３及びコネクタ（第３コネクタ）ＣＮ２のそれぞれに対応するコネクタ孔１１５ａ、コネクタ孔１１５ｂ、コネクタ孔１１５ｃ、コネクタ孔１１５ｄ、コネクタ孔１１５ｅ及びコネクタ孔１１５ｆが形成されている。これらコネクタ孔１１５ａ、コネクタ孔１１５ｂ、コネクタ孔１１５ｃ、コネクタ孔１１５ｄ、コネクタ孔１１５ｅ及びコネクタ孔１１５ｆから、それぞれコネクタＣＮ４、コネクタＣＮ６、コネクタＣＮ５、コネクタＣＮ７、コネクタＣＮ３及びコネクタＣＮ２が基板ケース１１４の外部に露出している。
【００６９】
基板ケース１１４内には、図５に示すメイン制御基板１００及び設定変更基板４２が収納されている。メイン制御基板１００の下側辺には、左から右に向かって順にコネクタＣＮ４、コネクタＣＮ６、コネクタＣＮ５、コネクタＣＮ７、コネクタＣＮ３及びコネクタＣＮ２が配置されている。つまり、メイン制御基板１００には、コネクタＣＮ４、コネクタＣＮ６、コネクタＣＮ５、コネクタＣＮ７、コネクタＣＮ３及びコネクタＣＮ２が直接取り付けられている。これらコネクタＣＮ４、コネクタＣＮ６、コネクタＣＮ５、コネクタＣＮ７、コネクタＣＮ３及びコネクタＣＮ２は、メイン制御基板１００上に横一列に並んで配置されている。また、これらのコネクタから離れた位置（離間した位置）である右側辺の上方にはコネクタ（第４コネクタ）ＣＮ１が配置されている。これらコネクタＣＮ１〜ＣＮ７にはケーブルが設けられたコネクタが接続されて、当該ケーブルの先に接続されている機器等に接続される。これにより、メイン制御基板１００と、それ以外の機器等とが電気的に接続されている。なお、コネクタＣＮ１〜ＣＮ７のさらに詳細については、後述する。また、メイン制御基板１００には、メインＣＰＵ１１１、メインＲＯＭ１１２、メインＲＡＭ１１３等の電子素子や配線等が形成されているが、図５において、それらについては図示を省略している。
【００７０】
また、設定変更基板４２にはメイン制御基板１００のコネクタＣＮ１と電気的に接続されるコネクタＣＮ２１が配置されている。このコネクタＣＮ１及びコネクタＣＮ２１は、いわゆる基板対基板（ＢｔｏＢ）用コネクタであり、ケーブル等を介さずにコネクタＣＮ１及びコネクタＣＮ２１が直接接続され、これらが電気的に接続される。つまり、メイン制御基板１００と設定変更基板４２とは、コネクタＣＮ１及びコネクタＣＮ２１により連結されることとなる。なお、ケーブルを介して、コネクタＣＮ１及びコネクタＣＮ２１が電気的に接続されることとしてもよい。また、設定変更基板４２には、設定キースイッチ５５、設定表示器５７及び設定変更スイッチ５６が設置されている。また、設定変更基板４２には、これら以外に、電子素子や配線等が形成されているが、それらについては、図５において、図示を省略している。
【００７１】
なお、図４において詳細は図示されていないが、基板ケース１１４において設定変更基板４２を覆っている箇所は開放させることができる構造であり、遊技店側である管理者は遊技機１０の前扉１０ｂを開いて、さらに基板ケース１１４の一部を開放して設定変更基板４２の一部を外部に露出させ、設定キースイッチ５５及び設定変更スイッチ５６を操作することにより設定値を変更し、さらにスタートレバー２０を操作することで設定値を確定する。なお、基板ケース１１４においてメイン制御基板１００を覆っている箇所は開放することがない。例えば、基板ケース１１４はケース部及びカバー部を有し、メイン制御基板１００の両主面側からこれらがメイン制御基板１００を挟むようにして組み合わされることにより、メイン制御基板１００を収納する基板ケース１１４が構成されることとすればよい。また、基板ケース１１４のケース部及びカバー部にカシメ等を設けて、痕跡を残すことなくケース部及びカバー部を分離することが困難な構造とすればよい。また、ケース部及びカバー部の境界に封印シールを貼り付ける等してもよい。これにより、基板ケース１１４の一部を破損させる等、痕跡が残る方法でしか、メイン制御基板１００を外部に露出させることはできないことから、基板ケース１１４のメイン制御基板１００に偽造ＲＯＭを搭載させる等の不正行為が行われたことを容易に発見でき、不正行為が行われることを抑制することができる。
【００７２】
次に、コネクタＣＮ１〜ＣＮ７について説明する。図６に示すように、メイン制御基板１００における各コネクタＣＮ１〜ＣＮ７は、設定変更基板４２、外部集中端子板５２、リールユニット４１、電源中継基板４４、スタートレバー２０、操作部中継基板３４及びサブ制御基板２００と電気的に接続されている。また、設定変更基板４２はメイン制御基板１００と接続されるためのコネクタＣＮ２１を備え、外部集中端子板５２はメイン制御基板１００と接続されるためのコネクタ５２ａを備え、リールユニット４１（回胴中継基板４３）はメイン制御基板１００と接続されるためのコネクタ４１ａを備え、電源中継基板４４はメイン制御基板１００と接続されるためのコネクタ４４ａを備え、スタートレバー２０はメイン制御基板１００と接続されるためのコネクタ２０ａを備え、操作部中継基板３４はメイン制御基板１００と接続されるためのコネクタ３４ａを備え、サブ制御基板２００はメイン制御基板１００と接続されるためのコネクタ２００ａを備えている。
【００７３】
具体的には、コネクタＣＮ４は外観が白色で、２０個の端子（ピン）を有し、電源中継基板４４と電気的に接続される。また、コネクタＣＮ６は外観が白色で、３６個の端子（ピン）を有し、操作部中継基板３４と電気的に接続される。また、コネクタＣＮ５は外観が青色で、３個の端子（ピン）を有し、スタートレバー２０と電気的に接続される。また、コネクタＣＮ７は外観が橙色で、３個の端子（ピン）を有し、サブ制御基板２００と電気的に接続される。また、コネクタＣＮ３は外観が青色で、２４個の端子（ピン）を有し、リールユニット４１と電気的に接続される。また、コネクタＣＮ２は外観が黒色で、８個の端子（ピン）を有し、外部集中端子板５２と電気的に接続される。また、コネクタＣＮ１は外観が黄色で、３個の端子（ピン）を有し、設定変更基板４２（コネクタＣＮ２１）と電気的に接続される。図示はしていないが、両端にコネクタを有するケーブルにより、各コネクタＣＮ１〜ＣＮ７は、設定変更基板４２のコネクタＣＮ２１、外部集中端子板５２のコネクタ５２ａ、リールユニット４１のコネクタ４１ａ、電源中継基板４４のコネクタ４４ａ、スタートレバー２０のコネクタ２０ａ、操作部中継基板３４のコネクタ３４ａ及びサブ制御基板２００のコネクタ２００ａと電気的に接続されている。
【００７４】
なお、配線の誤りを防止するために、コネクタ同士を接続する場合は、同じ色のコネクタと接続される。つまり、コネクタＣＮ４と電源中継基板４４とを電気的に接続するケーブルの両端のコネクタもコネクタＣＮ４と同様に白色であり、コネクタ４４ａも白色である。また、コネクタＣＮ６と操作部中継基板３４とを電気的に接続するケーブルの両端のコネクタもコネクタＣＮ６と同様に白色であり、コネクタ３４ａも白色である。また、コネクタＣＮ５とスタートレバー２０とを電気的に接続するケーブルの両端のコネクタもコネクタＣＮ５と同様に青色であり、コネクタ２０ａも青色である。また、コネクタＣＮ７とサブ制御基板２００とを電気的に接続するケーブルの両端のコネクタもコネクタＣＮ７と同様に橙色であり、コネクタ２００ａも橙色である。また、コネクタＣＮ３とリールユニット４１とを電気的に接続するケーブルの両端のコネクタもコネクタＣＮ３と同様に青色であり、コネクタ４１ａも青色である。また、コネクタＣＮ２と外部集中端子板５２とを電気的に接続するケーブルの両端のコネクタもコネクタＣＮ２と同様に黒色であり、コネクタ５２ａも黒色である。また、設定変更基板４２のコネクタＣＮ２１はコネクタＣＮ１と同様に黄色であり、コネクタＣＮ１と設定変更基板４２とを電気的に接続するケーブルの両端のコネクタもコネクタＣＮ１と同様に黄色である。これにより、配線作業者は同じ色のコネクタ同士を接続すればよいことから、配線の誤りを抑制することができる。
【００７５】
ここで、コネクタＣＮ４及びコネクタＣＮ６は共に白色であり、コネクタＣＮ３及びコネクタＣＮ５は共に青色である。このように、互いに同じ色であるコネクタの組合せ（コネクタＣＮ４、コネクタＣＮ６）及び（コネクタＣＮ３、コネクタＣＮ５）が存在している。つまり、メイン制御基板１００が有する複数のコネクタには、互いに同じ色の２つのコネクタの組合せが複数含まれている。これらのうち、一方のコネクタは筺体本体１０ａ側に配置された機器（本体側機器）等に接続され、他方のコネクタは前扉１０ｂ側に配置された機器（前扉側機器）等に接続される。つまり、いずれも白色であるコネクタＣＮ４及びコネクタＣＮ６の組合せにおいて、一方のコネクタＣＮ４は筺体本体１０ａに配置された電源中継基板４４（コネクタ４４ａ）と接続され、他方のコネクタＣＮ６は前扉１０ｂに配置された操作部中継基板３４（コネクタ３４ａ）と接続される。また、いずれも青色であるコネクタＣＮ３及びコネクタＣＮ５の組合せにおいて、一方のコネクタＣＮ３は筺体本体１０ａに配置されたリールユニット４１（コネクタ４１ａ）と接続され、他方のコネクタＣＮ５は前扉１０ｂに配置されたスタートレバー２０（コネクタ２０ａ）と接続される。なお、コネクタＣＮ４及びコネクタＣＮ６は白色であり、コネクタＣＮ５及びコネクタＣＮ３は青色としたが、コネクタＣＮ４及びコネクタＣＮ６が互いに同じ色であり、コネクタＣＮ５及びコネクタＣＮ３が互いに同じ色であり、かつ、コネクタＣＮ４及びコネクタＣＮ６とコネクタＣＮ５及びコネクタＣＮ３とが互いに異なる色であればよく、コネクタの色は白色及び青色以外の色であってもよい。また、コネクタＣＮ４及びコネクタＣＮ６はいずれも白色としたが、例えば純白と乳白色としてもよく、同じ色とみなされる色とすればよい。また、同様に、コネクタＣＮ５及びコネクタＣＮ３についても、例えば青色と紺色としてもよく、同じ色とみなされる色とすればよい。
【００７６】
また、コネクタＣＮ７は橙色であり、コネクタＣＮ２は黒色であり、コネクタＣＮ１は黄色であり、これらコネクタＣＮ７、ＣＮ２、ＣＮ１はそれぞれ同じ色のコネクタが存在しない。このように同じ色のコネクタが他にはない、単独の色であるコネクタの一つであるコネクタＣＮ２は、メイン制御基板１００からの信号を遊技機１０の外部に出力するための外部集中端子板５２（コネクタ５２ａ）と接続される。なお、メイン制御基板１００から外部集中端子板５２に信号が送信されるが、外部集中端子板５２からメイン制御基板１００に信号が送信されることはない（図２を参照）。
【００７７】
また、同じ色のコネクタが他にはない単独の色であるコネクタの一つであるコネクタＣＮ７は、メイン制御基板１００から送信されるコマンド（信号）に基づいて演出内容の決定や実行等の処理を行うサブ制御基板２００（コネクタ２００ａ）と接続される。なお、メイン制御基板１００からサブ制御基板２００に信号が送信されるが、サブ制御基板２００からメイン制御基板１００に信号が送信されることはない（図２を参照）。
【００７８】
また、同じ色のコネクタが他にはない単独の色であるコネクタの一つであるコネクタＣＮ１は、メイン制御基板１００と同様に基板ケース１１４内に収納された設定変更基板４２（コネクタＣＮ２１）と接続される。なお、コネクタＣＮ１は、メイン制御基板１００上の他のコネクタＣＮ２〜ＣＮ７とは異なり、基板ケース１１４の外部には露出していない（図４を参照）。
【００７９】
ここで、遊技機１０において、スタートレバー２０、マックスベットボタン１８、シングルベットボタン１９、ストップボタン２２ａ、２２ｂ、２２ｃ及び払戻しボタン２５等の操作手段は、頻繁に外力を受けるため故障しやすく、交換等の修理を行う可能性が高いといえる。これら操作手段は、すべて前扉１０ｂに設置されており、操作手段のうちスタートレバー２０は、メイン制御基板１００と直接接続されるが、マックスベットボタン１８、シングルベットボタン１９、ストップボタン２２ａ、２２ｂ、２２ｃ及び払戻しボタン２５は操作部中継基板３４を介してメイン制御基板１００と接続されている。なお、操作部中継基板３４は前扉１０ｂに配置されている。メイン制御基板１００においてスタートレバー２０には青色のコネクタＣＮ５が接続され、操作部中継基板３４には白色のコネクタＣＮ６が接続されている。つまり、コネクタＣＮ５とコネクタＣＮ６とは互いに異なる色である。このような構成であることから、配線作業を含む修理作業が行われやすい操作手段（スタートレバー２０）及び操作手段に接続される基板（操作部中継基板３４）については、すべて前扉１０ｂ側に配置されている。このように、配線作業が発生しやすい機器のコネクタが前扉１０ｂ側に集約されており、かつ、スタートレバー２０と操作部中継基板３４とでメイン制御基板１００と接続されるコネクタの色が異なっていることから、各コネクタの識別性が高く、作業者による配線の誤りが生じにくい。
【００８０】
また、メイン制御基板１００（メイン制御基板ユニット３０）において、基板ケース１１４の外部の機器等と接続されるコネクタのうち、筺体本体１０ａ側に配置されている機器と接続されるのはコネクタ白色のＣＮ４、青色のコネクタＣＮ３及び黒色のコネクタＣＮ２の３つであり、一方、前扉１０ｂ側に配置されている機器と接続されているのは白色のコネクタＣＮ６、青色のコネクタＣＮ５及び橙色のコネクタＣＮ７の３つである。このため、作業者は、筺体本体１０ａ側の機器及び前扉１０ｂ側の機器のいずれかに偏ることなく、バランスよく配線作業を行うことができる。また、筺体本体１０ａ側の機器に接続されるコネクタ及び前扉１０ｂ側の機器に接続されるコネクタのいずれにおいても、２つのコネクタは単独の色ではなく、同じ色（白色、青色）のコネクタが存在する。このため、作業者は、筺体本体１０ａ側の機器及び前扉１０ｂ側の機器のいずれかに偏ることなく、バランスよく配線作業を行うことができる。
【００８１】
（メイン制御基板１００の配線作業）
メイン制御基板１００には、上述したように、コネクタＣＮ１〜ＣＮ７の７つのコネクタが設置されているが、これらのコネクタＣＮ１〜ＣＮ７の配線作業の一例について説明する。まず、コネクタＣＮ１は基板ケース１１４内における配線なので、メイン制御基板１００が基板ケース１１４内に収納された際には、コネクタＣＮ１及びコネクタＣＮ２１間の配線を完了しておく。そして、基板ケース１１４から露出しているネクタＣＮ２〜ＣＮ７について、まず筺体本体１０ａ側に配置されている機器への配線の接続を行ってから、前扉１０ｂ側に配置されている機器への配線の接続を行うことが好ましい。筺体本体１０ａ側への配線として、具体的には、コネクタＣＮ４、コネクタＣＮ３及びコネクタＣＮ２について、電源中継基板４４（コネクタ４４ａ）、リールユニット４１（コネクタ４１ａ）及び外部集中端子板５２（コネクタ５２ａ）にケーブルを介して接続する。
【００８２】
ここで、外部集中端子板５２は、メイン制御基板１００からの信号を受信するが、メイン制御基板１００へは信号を送信しないものであり、仮に配線を誤ると、不正行為が行われる等の不具合が生じやすいといえる。つまり、外部集中端子板５２の配線は重要な配線であり、誤って配線を行うと問題が大きいといえる。ここで、コネクタＣＮ２は黒色であり、メイン制御基板１００において、他に黒色のコネクタは存在しない単独の色である。コネクタＣＮ２が単独の色であることから、白色及び青色のコネクタと異なって、目立つこととなり、作業者は注意することとなる。したがって、作業者はコネクタＣＮ２の配線を行う際は特に誤らないように注意することとなる。そこで、メイン制御基板１００からの信号を受信するが、メイン制御基板１００へは信号を送信しないコネクタについては単独の色とすることが好ましい。
【００８３】
筺体本体１０ａ側に接続されるコネクタＣＮ４（白色）、コネクタＣＮ３（青色）及びコネクタＣＮ２（黒色）の配線作業が完了した後には、配線がなされていないコネクタとして、互いに異なる色であるコネクタＣＮ６（白色）、コネクタＣＮ５（青色）及びコネクタＣＮ７（橙色）が残っていることとなる。これにより、作業者は、筺体本体１０ａ側への配線が正しくなされているか否かを確認することができる。つまり、筺体本体１０ａ側の配線を完了した際に、同じ色（白色又は青色）のコネクタが２つ残っていた場合や、白色のコネクタ及び青色のコネクタがいずれも２つ残っていた場合は筺体本体１０ａ側への配線が誤っており、作業者は、配線が誤っていることを視覚により容易に気づくことができる。したがって、このような場合は、作業者は筺体本体１０ａ側への配線を確認することで、誤った配線箇所を見つけて、正しく配線を接続し直すこととなる。これにより、誤った配線がなされることを抑制することができる。
【００８４】
このようにして、作業者が筺体本体１０ａ側における配線が正しくなされていることを確認した後は、作業者は前扉１０ｂ側の配線として、コネクタＣＮ６、コネクタＣＮ５及びコネクタＣＮ７について、操作部中継基板３４（コネクタ３４ａ）、スタートレバー２０（コネクタ２０ａ）及びサブ制御基板２００（コネクタ２００ａ）にケーブルを介して接続する。なお、コネクタＣＮ７は単独の色である橙色である。このコネクタＣＮ７は、メイン制御基板１００からの信号を受信するが、メイン制御基板１００へは信号を送信しないサブ制御基板２００（コネクタ２００ａ）に接続される。つまり、コネクタＣＮ７の配線を誤ると大きな問題となる可能性がある。上述したように、コネクタＣＮ７は単独の色であることから、目立つこととなる。そのため、作業者は、特に注意してコネクタＣＮ７の配線を行うこととなる。
【００８５】
また、本実施形態において、メイン制御基板１００に設けられたコネクタは、例えば、雄型コネクタとし、筺体本体１０ａ及び前扉１０ｂに設置された機器に設けられたコネクタは、例えば雄型コネクタとし、これらのコネクタを接続するためのケーブルは両端に雌型コネクタを有することとし、ケーブルを介して雄型コネクタ同士を接続することとすればよい。また、筺体本体１０ａ及び前扉１０ｂに設置された機器の中には、例えば機器に内蔵される基板からケーブルが伸びている等、当該機器から直接ケーブルが伸びている機器が存在してもよい。このような機器については、メイン制御基板１００と機器とを接続するためのケーブルは不要であり、機器から伸びているケーブルの端部に設けられたコネクタを、メイン制御基板１００に設けられたコネクタに接続することとすればよい。
【００８６】
以上、本実施形態に係る遊技機１０について説明した。遊技機１０によれば、特に、メイン制御基板１００におけるコネクタＣＮ１〜ＣＮ７が、上述の構成であることから、コネクタの接続を誤りにくく、配線作業の負担を軽減できるとの効果を奏する。また、メイン制御基板１００に設置するコネクタに用いる色を少なくできるにもかかわらず、配線作業が容易であるとの効果を奏する。また、このようにコネクタに用いる色を減少させることができるため、製造コストを抑制することができる。また、配線作業が容易であることから、製造効率を高くできる。また、誤った配線を行う可能性も低くなることから、不良品を減らすことができる。
【００８７】
また、遊技機１０において、メイン制御基板１００におけるすべてのコネクタの色を互いに異なるものとするのではなく、同じ色となる２つのコネクタの組合せ（コネクタＣＮ４及びコネクタＣＮ６の組合せ、コネクタＣＮ３及びコネクタＣＮ５の組合せ）を有し、これらの一方が筺体本体１０ａ側に配置されている機器と接続され、他方が前扉１０ｂ側に配置されている機器と接続されることから、コネクタの色を増やさずに、作業者が配線先を誤りにくい構成となっている。
【００８８】
また、メイン制御基板１００から他の機器に信号を送信するのみであり、他の機器からの信号を受信しないコネクタ（コネクタＣＮ２、コネクタＣＮ７）は、他に同じ色がなく単独の色であることから、作業者は単独の色であるコネクタについて特に注意して配線を行うこととなり、重大な配線間違いが生じることを抑制することができる。
【００８９】
また、コネクタＣＮ２〜ＣＮ７は、メイン制御基板１００上に横一列に並んで配置されていることから、コネクタを容易に認識できるため、配線作業において作業者の負担を軽減できる。また、配線が終了した後における、正しい配線がなされているかの確認作業においても、容易に確認することができる。また、コネクタに接続される配線も絡まりにくいとの効果も奏する。なお、上述したように、それぞれ複数の部品と接続される回胴中継基板４３、電源中継基板４４及び操作部中継基板３４を有することから、メイン制御基板１００のコネクタの数を減少させることができるが、これにより、メイン制御基板１００のコネクタの数を、メイン制御基板１００上に横一列に配置できる数に抑えることができる。なお、コネクタＣＮ２〜ＣＮ７は、メイン制御基板１００上に横一列に並んで配置されていることとしたが、所定の方向に沿って並んで配置されていればよい。つまり、メイン制御基板１００上において、縦方向や斜め方向に一列に並んで配置されていればよい。
【００９０】
また、コネクタＣＮ２〜ＣＮ７とは異なり基板ケース１１４の外部の機器とは接続されないコネクタＣＮ１については、コネクタＣＮ２〜ＣＮ７とは並んで配置されず、これらのコネクタＣＮ２〜ＣＮ７とは離間した位置に配置されている。そのため、作業者は、コネクタＣＮ１は、基板ケース１１４の外部の機器とは接続されないコネクタであることを容易に認識することができる。
【００９１】
また、前扉１０ｂに設置された操作部中継基板３４に接続されるコネクタＣＮ６と、前扉１０ｂに設置されたスタートレバー２０に接続されるコネクタＣＮ５と、前扉１０ｂに設置されたサブ制御基板２００に接続されるコネクタＣＮ７と、が連続して並んで配置されている。つまり、これらコネクタＣＮ６、コネクタＣＮ５及びコネクタＣＮ７は、メイン制御基板１００においてまとまって配置され、これらの間に筺体本体１０ａに設置された機器と接続されるコネクタＣＮ４、コネクタＣＮ３及びコネクタＣＮ２のいずれのコネクタが挟まれることがない。これにより、前扉１０ｂに設置された機器に接続されるケーブルをまとめることが可能となるため、遊技機筐体１０ｄ内部の状態を確認することが容易である。そのため、例えば、遊技機筐体１０ｄ内に、不正機器が配置されたり、不正行為による痕跡が生じたりした場合に、これらを発見することが容易である。
【００９２】
（他の実施形態１）
上記実施形態では、設定変更基板４２がメイン制御基板１００と同様に基板ケース１１４内に収納されていることとしたが、設定変更基板４２が基板ケース１１４に収納されておらず、例えば、筺体本体１０ａの背板１０ｃ等に設置されている構成であってもよい。具体的には、設定変更基板４２は専用のケースに収納されており、当該専用ケースが背板１０ｃに設置される。
【００９３】
図７は、本発明の他の実施形態１に係る遊技機のメイン制御基板におけるコネクタの配線を示すための配線図である。この場合は、図７に示すように、設定変更基板４２のコネクタＣＮ２１と接続されるコネクタＣＮ１は、コネクタＣＮ２〜ＣＮ７と同様にメイン制御基板１００の下側辺において他のコネクタＣＮ２〜ＣＮ７と同様に横一列に並んで配置されることが好ましい。また、コネクタＣＮ１も、他のコネクタＣＮ２〜ＣＮ７と同様に、基板ケース１１４に設けられたコネクタ孔から外部に露出する構成とすればよい。なお、上述したように、他の実施形態１に係る遊技機において、設定変更基板４２は筺体本体１０ａの背板１０ｃに設置されることから、筺体本体１０ａに設置された機器に接続されるコネクタは、コネクタＣＮ４、コネクタＣＮ１、コネクタＣＮ３及びコネクタＣＮ２である。ここで、これらコネクタＣＮ４、コネクタＣＮ１、コネクタＣＮ３及びコネクタＣＮ２は、それぞれ、白色、黄色、青色及び黒色であり、互いに異なる色である。
【００９４】
（他の実施形態２）
上記実施形態において遊技機１０は、前扉１０ｂが分離しない構造としたが、例えば、前扉１０ｂが、互いに独立して筺体本体１０ａに対して開閉可能である上部前扉及び下部前扉を有する遊技機としてもよい。このような他の実施形態２に係る遊技機において、筺体本体には本体側機器が設置され、上部前扉には上部前扉側機器が設置され、下部前扉には下部前扉側機器が設置されている。ここで、メイン制御基板において、同じ白色のコネクタが３つあり、同じ青色のコネクタが３つあり、同じ黄色のコネクタが３つある。また、メイン制御基板において、本体側機器に接続されるコネクタはすべて異なる色（白色、青色、黄色、黒色）であり、上部前扉側機器に接続されるコネクタもすべて異なる色（白色、青色、黄色、橙色）であり、下部前扉側機器に接続されるコネクタもすべて異なる色（白色、青色、黄色）である。このように、他の実施形態２に係る遊技機において、メイン制御基板に設置されたコネクタは、互いに同じ色の３つのコネクタの組合せを３組有している。具体的には、白色のコネクタが３つであり、青色のコネクタガ３つであり、黄色のコネクタが３つである。
【００９５】
以上、本実施形態及び他の実施形態１、２に係る遊技機について説明したが、この遊技機１０は、上記形態に限定されるわけではなく、上記以外の構成であってもよい。例えば、メイン制御基板１００におけるコネクタを色分けして区別することとしたが、コネクタを着色するのではなく、コネクタに「白」、「青」、「橙」、「黒」、「黄」等の文字を印刷することでこれらの区別を行ってもよい。なお、コネクタに、「白」、「青」、「橙」、「黒」、「黄」等の文字が印刷されたシールを貼り付けることにより、区別することとしてもよい。また、コネクタを着色して、さらに上記文字を付加することとしてもよい。また、色に対応する所定の記号等をコネクタに印刷やシール等により付すことにしてもよい。例えば、「白」を「ＷＨＴ」との記号で表し、「青」を「ＢＬＵ」との記号で表しし、「橙」を「ＯＲＧ」との記号で表し、「黒」を「ＢＬＫ」との記号で表し、「黄」を「ＹＬＷ」との記号で表して、これらの記号をコネクタに印刷したり、これらの記号が印刷されたシールをコネクタに貼り付けたり、してもよい。これにより、色が判別しにくい場合であっても、容易に配線作業を行うことができる。
【００９６】
また、配線作業は、筺体本体１０ａ側から行わず、前扉１０ｂ側から行うこととしてもよい。また、遊技機筐体１０ｄ内における機器等の配置は上記以外であってもかまわない。例えば、メイン制御基板１００が、筺体本体１０ａに設けられるのではなく、前扉１０ｂに設けられることとしてもよい。また、サブ制御基板２００を筺体本体１０ａ側に配置してもよい。また、メイン制御基板ユニット３０のメイン制御基板１００のコネクタの配置及び色分け等について説明したが、他の制御基板等のコネクタについても同様の配置及び色分け等としてもよい。例えば、サブ制御基板ユニット３１を筺体本体１０ａ側に配置し、サブ制御基板２００におけるコネクタの配置及び色分け等を、上記構成と同様の配置及び構成としてもよい。
【００９７】
以上説明した本実施形態に係る遊技機１０は、筺体本体１０ａ及び筺体本体１０ａの前側に配置された前扉１０ｂを有する遊技機筐体１０ｄと、遊技機筐体１０ｄ内に配置されたメイン制御基板１００と、メイン制御基板１００に設置された複数のコネクタＣＮ１〜ＣＮ７と、を備え、図６に示すようにコネクタＣＮ１〜ＣＮ７は、互いに同じ色の２つのコネクタの組合せである白色の組合せ（コネクタＣＮ４及びコネクタＣＮ６）と、青色の組合せ（コネクタＣＮ３及びコネクタＣＮ５）との複数（２つ）の組合せを有し、これら組合せごとにコネクタの色が異なっており（白色及び青色）、組合せのそれぞれにおける一方のコネクタである第１コネクタ（コネクタＣＮ４、コネクタＣＮ３）は筺体本体１０ａ側に設置された本体側機器（電源中継基板４４、リールユニット４１）と配線を介して接続されていて、他方のコネクタである第２コネクタ（コネクタＣＮ６、コネクタＣＮ５）は前扉１０ｂ側に配置された前扉側機器（操作部中継基板３４、スタートレバー２０）と配線を介して接続されている。
【００９８】
また、図６に示すように、遊技機１０は、複数の組合せにおける第１コネクタであるコネクタＣＮ４は、扉開閉用スイッチ５３、ホッパーユニット３６及び電源ユニット３３等の筺体本体１０ａに設けられた複数の接続先を有する電源中継基板４４に搭載される１つのコネクタ４４ａと接続されている。また、複数の組合せにおける第２コネクタであるコネクタＣＮ６は、ストップボタン２２ａ、２２ｂ、２２ｃ、メダルセレクタ５１、マックスベットボタン１８及びシングルベットボタン１９等の前扉１０ｂに設けられる複数の接続先を有する操作部中継基板３４に搭載される１つのコネクタ３４ａと接続されている。なお、図６に示すように、上記第１コネクタ（コネクタＣＮ４）と上記第２コネクタ（コネクタＣＮ６）との両方のコネクタを中継用の基板を介して接続することが好ましいが、上記第１コネクタ及び上記第２コネクタのいずれかが中継用の基板を介して接続することとしてもよい。また、第１コネクタに相当するコネクタＣＮ４及びコネクタＣＮ３のすべてのコネクタが中継用の基板を介して接続する必要はなく、少なくとも１つのコネクタが中継用の基板を介して接続すればよい。また、第２コネクタに相当するコネクタＣＮ６及びコネクタＣＮ５についても同様である。
【００９９】
また、図６に示すように、遊技機１０は、メイン制御基板１００が有する複数のコネクタＣＮ１〜ＣＮ７は、他のコネクタとは色が異なり単独の色（黒色、橙色）である第３コネクタ（コネクタＣＮ２、コネクタＣＮ７）を備え、これらコネクタＣＮ２及びコネクタＣＮ７は、本体側機器及び前扉側機器の少なくともいずれかである外部集中端子板５２及びサブ制御基板２００に配線を介して接続され、これらコネクタＣＮ２及びコネクタＣＮ７は、メイン制御基板１００から信号を外部に出力し、外部からメイン制御基板１００に信号を入力することはない。なお、上記「外部」とは、制御基板に対しての外部であればよい。したがって、「第３コネクタ」は、遊技機に設けられる機器（本体側機器や前扉側機器）に対して信号を出力し、当該機器からの信号を入力することがないコネクタとすればよい。また、上記「外部」とは、遊技機に対しての外部も含むことから、「第３コネクタ」としては、例えば遊技機１０の周囲に設けられる遊技島設備へ信号を出力し、遊技島設備から信号を入力することのないコネクタであってもよい。
【０１００】
また、図４、５に示すように、遊技機１０は、メイン制御基板１００を収納する基板ケース１１４と、メイン制御基板１００以外に、基板ケース１１４内に収納された設定変更基板４２と、を備え、メイン制御基板１００が有する複数のコネクタＣＮ１〜ＣＮ７は、基板ケース１１４内において設定変更基板４２に設けられたコネクタＣＮ２１と、直接接続される第４コネクタであるコネクタＣＮ１を有し、第１コネクタであるコネクタＣＮ４及びコネクタＣＮ３と第２コネクタであるコネクタＣＮ６及びコネクタＣＮ５は、コネクタ孔１１５ａ、１１５ｅ、１１５ｂ、１１５ｃにより、基板ケース１１４の外部に露出されている。
【０１０１】
また、遊技機１０は、遊技者が操作する操作手段であるマックスベットボタン１８、シングルベットボタン１９、スタートレバー２０及びストップボタン２２ａ、２２ｂ、２２ｃを備え、これら操作手段は、操作部中継基板３４を介して第２コネクタであるコネクタＣＮ６に接続されている。なお、操作手段は、マックスベットボタン１８、シングルベットボタン１９、スタートレバー２０及びストップボタン２２ａ、２２ｂ、２２ｃに限定されるわけではない。操作手段は、比較的強い力で操作されるものであればよく、例えば、演出に関わる指示を与えるために遊技者が操作する演出用ボタン７であってもよい。
【０１０２】
本発明は、以上説明した実施の形態に限定されるものではなく、他のいろいろな形で実施することができる。そのため、かかる実施の形態はあらゆる点で単なる例示にすぎず、限定的に解釈してはならない。本発明の範囲は請求の範囲によって示すものであって、明細書本文には、なんら拘束されない。さらに、請求の範囲の均等範囲に属する変形や変更は、全て本発明の範囲内のものである。
【符号の説明】
【０１０３】
１０    遊技機                    １０ａ  筺体本体
１０ｂ  前扉                      １０ｄ  遊技機筐体
１８    マックスベットボタン      １９    シングルベットボタン
２０    スタートレバー            ２２ａ、２２ｂ、２２ｃ  ストップボタン
２５    払戻しボタン              ２６    クレジット枚数表示器
２７    払出枚数表示器            ３４    操作部中継基板
３６    ホッパーユニット          ３７    区間報知ランプ
４１    リールユニット            ４２    設定変更基板
４４    電源中継基板              ５１    メダルセレクタ
５２    外部集中端子板            ５３    扉開閉用スイッチ
１００  メイン制御基板            ＣＮ１〜ＣＮ７  コネクタ
【要約】      （修正有）【課題】コネクタの接続を誤りにくく、配線作業の負担を軽減できる遊技機を提供する。【解決手段】遊技機は、筺体本体１０ａ及び筺体本体１０ａの前側に配置された前扉１０ｂを有する遊技機筐体と、遊技機筐体内に配置されたメイン制御基板１００と、メイン制御基板１００に設置された複数のコネクタコネクタＣＮ１〜ＣＮ７と、を備え、複数のコネクタＣＮ１〜ＣＮ７は、互いに同じ色の２つのコネクタ（ＣＮ４、ＣＮ６）、（ＣＮ３、ＣＮ５）の組合せを複数有し、組合せごとにコネクタの色が異なっており、組合せのそれぞれにおける一方のコネクタであるコネクタＣＮ４、ＣＮ３は筺体本体１０ａ側に設置された扉開閉用スイッチ、リールユニット４１と配線を介して接続されていて、他方のコネクタであるコネクタＣＮ６、ＣＮ５は前扉１０ｂ側に配置されたマックスベットボタン、スタートレバー２０と配線を介して接続されている。【選択図】図６【図１】
0006828925.tif 000002
【図２】
0006828925.tif 000003
【図３】
0006828925.tif 000004
【図４】
0006828925.tif 000005
【図５】
0006828925.tif 000006
【図６】
0006828925.tif 000007
【図７】
0006828925.tif 000008